(57)【特許請求の範囲】
【請求項１】
ダクトを介して空調した空気を送る調湿換気装置本体（１）を天井面の隅部に略水平に設置し、上記装置本体（１）及びダクトを覆い隠す化粧カバー（８４）（８０）を設け、前面側化粧カバー（８４）は、装置本体（１）の一側面側のメンテナンス面（１ａ）に対応させて着脱自在に設けていることを特徴とする天井取付型空調装置。
【請求項２】
底面側化粧カバー（８０）の前部上面に凹設した溝（８１）と、この溝（８１）と対応した天井面に取り付けた断面を略コ字型とした取付レール（８２）との間に前面側化粧カバー（８４）を落とし込み式で着脱自在に配置していることを特徴とする請求項１の天井取付型空調装置。
【請求項３】
上記前面側化粧カバー（８４）は分割構成されており、装置本体（１）の清掃又は交換を要する部品に対応した箇所の前面側化粧カバー（８６）を着脱自在としていることを特徴とする請求項１又は請求項２の天井取付型空調装置。
【請求項４】
上記清掃又は交換を要する部品は、フィルタであることを特徴とする請求項３の天井取付型空調装置。
【発明の詳細な説明】
【０００１】
【発明の属する技術分野】
この発明は、天井面などの住宅躯体に据え付けられる天井取付型空調装置に関するものである。
【０００２】
ここで、本明細書においては、「空調」とは、冷房、暖房に限らず、換気や、調湿（除湿・加湿）も含むものとする。従って、「空調室内機」とは、上記「空調」を行うために室内あるいは住宅内（天井裏など）に取り付けられるものであり、具体的には例えば分離型のヒートポンプ式空調装置における室内機や、室内空気を屋外に排出すると共に外気を室内に取り込む換気装置、さらには換気装置に除湿器や加湿器を加えて構成した調湿換気装置などが該当する。
【０００３】
【従来の技術】
図１０は、従来の調湿換気装置３１の平面図であり、図１１は調湿換気装置３１の側面図であり、図１２は調湿換気装置３１の斜視図である。
【０００４】
調湿換気装置３１は、比較的偏平な直方体状のケーシング３２を有し、このケーシング３２の長手方向に相対向する一対の側部３２ａ、３２ｂのうち、一方側部３２ａには室内側吹出口３３と室内側吸込口３４とが形成され、他方側部３２ｂには室外側吸込口３５と室外側吹出口３６とが形成されている。そして、ケーシング３２の内部には、長手方向のほぼ中央部に顕熱交換器３７が配置されている。顕熱交換器３７は、給気ＳＡと排気ＥＡとの間で、湿分の交換は行わず、顕熱の熱交換だけを行うものである。
【０００５】
顕熱交換器３７は、略正四角柱状に形成されており、空気の吸込口又は吹出口となる４つの側面３７ａ、３７ｂ、３７ｃ、３７ｄがケーシング３２の上面及び底面に対して傾斜した姿勢で、ケーシング３２の幅方向に延びて配置されている。そして、顕熱交換器３７の４つの側辺部とケーシング３２の内壁との間に所定の仕切りを設けることによって、ケーシング３２内は４つの空間３８ａ、３８ｂ、３８ｃ、３８ｄに区画されている。
【０００６】
室内側に形成された２つの空間３８ａ、３８ｂのうち、顕熱交換器３７の室内側の上側に位置する側面３７ａに連通する空間３８ａは、室内側吸込口３４に連通している。従って、この空間３８ａが室内空気吸込通路となり、顕熱交換器３７の側面３７ａが吸込口となる。また、顕熱交換器３７の室内側の下側に位置する側面３７ｂに連通する空間３８ｂは、室内側吹出口３３に連通している。従って、この空間３８ｂが給気通路となり、顕熱交換器３７の側面３７ｂが吹出口となる。
【０００７】
一方、室外側に形成された２つの空間３８ｃ、３８ｄのうち、顕熱交換器３７の室外側の下側に位置する側面３７ｃに連通する空間３８ｃは、室外側吹出口３６に連通している。従って、この空間３８ｃが排気通路となり、顕熱交換器３７の側面３７ｃが吹出口となる。また、顕熱交換器３７の室外側の上側に位置する側面３７ｄに連通する空間３８ｄは、室外側吸込口３５に連通している。従って、この空間３８ｄが外気吸込通路となり、顕熱交換器３７の側面３７ｄが吸込口となる。
【０００８】
ここで、顕熱交換器３７の４つの側面３７ａ〜３７ｄにおいては、相対向する側面どうしが連通している。即ち、側面３８ａと３８ｃ及び側面３８ｂと３８ｄは共に連通している。従って、調湿換気装置３１においては、室外側吸込口３５と室内側吹出口３３との間は外気吸込通路３８ｄと給気通路３８ｂとが顕熱交換器３７を介して連通して給気経路ＲＳを形成する一方、室内側吸込口３４と室外側吹出口３６との間は室内空気吸込通路３８ａと排気通路３８ｄとが顕熱交換器３７を介して連通して排気経路ＲＥを形成している。
【０００９】
そして、給気経路ＲＳには、室外側吸込口３５側から室内側吹出口３３側に向かって順番に、外気処理フィルタ３９、除湿器４０、顕熱交換器３７、給気ファン４１、透湿膜式加湿器４２が配置されている。また、排気経路ＲＥには、室内側吸込口３４側から室外側吹出口３６側に向かって順番に、顕熱交換器３７、排気ファン４３が配置されている。
【００１０】
このような調湿換気装置３１においては、給気ファン４１を駆動することによって、外気ＯＡは室外側吸込口３５からケーシング３２内に吸い込まれた後に、給気経路ＲＳを通って室内側吹出口３３から給気ＳＡとして室内に供給される。一方、排気ファン４３を駆動することによって、室内空気ＲＡは室内側吸込口３４からケーシング３２内に吸い込まれた後に、排気経路ＲＥを通って室外側吹出口３６から排気ＥＡとして室外に排出される。この時、顕熱交換器３７において、外気ＯＡと室内空気ＲＡとの間で熱だけの授受が行われる。これが、熱交換換気運転である。
【００１１】
また、調湿運転は、上記熱交換換気運転を行いながら、除湿器４０、透湿膜式加湿器４２を機能させて行う。例えば除湿熱交換換気運転では、外気ＯＡを除湿器４０で冷却して除湿した後、顕熱交換器３７で室温程度まで加熱（排出する排気ＥＡの排熱を利用する）してから給気ＳＡとして室内に供給する。また、加湿熱交換換気運転では、顕熱交換器３７により外気ＯＡを暖めた後、透湿膜式加湿器４２で加湿してから給気ＳＡとして室内に供給する。
【００１２】
ところで、上記調湿換気装置３１は、一般的に住宅の天井裏に据え付けられている。図１３は、調湿換気装置３１の据付け状態を示す側面図である。据付けにあたっては、まず所定の取付面４５に複数本のアンカーボルト４６を埋め込む。取付面４５は、天井裏の梁やスラブあるいは天井面などの住宅躯体であり、アンカーボルト４６は取付面４５から垂下するように埋め込む。それから、調湿換気装置３１のケーシング３２に設けられている複数個の天井吊金具４７をそれぞれアンカーボルト４６に挿通させて、一対のワッシャ４８ａ、４８ｂで天井吊金具４７を挟持すると共にナット４９ａ、４９ｂ、４９ｃを締め付けて仮止めを行う。
【００１３】
仮止め後は、ケーシング３２の上面（取付基準面）に水準器５０を載置し、ナット４９ａ〜４９ｃの螺合位置を調整しながら、調湿換気装置３１が略水平になるように傾き調整を行う。水平に据え付けるのは、ケーシング３２内に配置されているドレンパンからの水漏れを防止するためである。即ち、ドレンパンは上記取付基準面に対してドレン排水口が平行方向又は下方に向くように設置されているので、略水平に据え付けるか、あるいはドレン排水口側にわずかに傾斜（１°以内）するように据え付ける必要があるからである。また、傾き調整と共に、取付面４５との間の間隔と天井面からの高さが所定の長さとなるように高さ調整も行う。
【００１４】
さらに、アンカーボルト４６に代えて、図１４に示す吊りボルト５１を用いる場合もある。吊りボルト５１は、木造住宅の場合は図１４（ａ）に示すように天井裏の梁５２、あるいは梁５２が適当な位置にないときは吊り下げ用角材５３又はＣチャンネルに取り付けられ、また鉄筋コンクリート住宅の場合は図１４（ｂ）に示すように天井スラブ５４に取り付けられる。調湿換気装置３１の吊り下げ構造及び取付手順については、アンカーボルト４６の場合と同様である。
【００１５】
上述したようにアンカーボルト４６や吊りボルト５１を使用して調湿換気装置３１を据え付ける場合、複数本の吊りボルト５１等を所定の取付面４５に垂下するように取り付ける必要があるため、取付作業に手間がかかってしまう。また、吊りボルト５１等に調湿換気装置３１を仮止めした後には、傾き調整や高さ調整を行う必要があるが、比較的重量が大きい調湿換気装置３１を吊り下げた状態で行うため、調整作業にも手間がかかることになる。さらに、このような手間のかかる作業を天井裏のように高い場所であって、かつ狭い空間内で行うことは、作業者に多大な負担を与えることにもなる。
【００１６】
【発明が解決しようとする課題】
このように、従来より調湿換気装置３１の設置場所としては天井裏（特に２階の天井裏）が一般的である。かかる場合、高所作業のため危険であるので作業者に多大な負担を与え、また点検口あるいは機械室を設ける必要があるため設置作業に多くの手数を要し、そのため施工性が悪いという問題があった。また、調湿換気装置３１は天井裏に設置されているため、ユーザーは簡単には外気処理フィルタ３９等のメンテナンスをなうことができず、メンテナンス性が悪いという問題があった。
【００１７】
この発明は上記従来の欠点を解決するためになされたものであって、その目的は、安全性、作業性等を向上することによる施工性の向上を図ることが可能であると共に、ユーザーによるフィルタ等のメンテナンス性を向上させることが可能な天井取付型空調装置を提供することにある。
【００１８】
【課題を解決するための手段】
そこで請求項１の天井取付型空調装置は、ダクトを介して空調した空気を送る調湿換気装置本体１を天井面の隅部に略水平に設置し、上記装置本体１及びダクトを覆い隠す化粧カバー８４、８０を設け、前面側化粧カバー８４は、装置本体１の一側面側のメンテナンス面１ａに対応させて着脱自在に設けていることを特徴としている。
【００１９】
請求項１の天井取付型空調装置では、調湿換気装置本体１を天井面に設置することで、装置本体１の後付けができ、しかも、装置本体１とダクトを化粧カバー８４、８０で覆っているので、インテリア性を損なうことがない。また、装置本体１は天井面に設置する構造としているので、設置作業の高さも高くなく、設置作業における安全性が向上し、また天井裏に装置本体１を設置するのではないため、従来のように点検口あるいは機械室が不要となり設置作業性を向上させることができる。また、装置本体１においてメンテナンス面１ａに対応した前面側化粧カバー８４を取り外し可能としているので、ユーザーによるメンテナンス性を向上させることができる。
【００２２】
請求項２記載の天井取付型空調装置は、底面側化粧カバー８０の前部上面に凹設した溝８１と、この溝８１と対応した天井面に取り付けた断面を略コ字型とした取付レール８２との間に前面側化粧カバー８４を落とし込み式で着脱自在に配置していることを特徴としている。
【００２３】
請求項２の天井取付型空調装置では、前面側化粧カバー８４の装着と取り外しが容易となり、特に簡単な構造で前面側化粧カバー８４を装着できる。
【００２４】
請求項３記載の天井取付型空調装置は、上記前面側化粧カバー８４は分割構成されており、装置本体１の清掃又は交換を要する部品に対応した箇所の前面側化粧カバー８６を着脱自在としていることを特徴としている。
【００２５】
請求項３の天井取付型空調装置では、装置本体１において部品の清掃又は交換が必要な箇所に対応した前面側化粧カバー８６を取り外し可能としているので、ユーザーによるメンテナンス性を向上させることができる。
【００２７】
請求項４記載の天井取付型空調装置は、上記清掃又は交換を要する部品は、フィルタであることを特徴としている。
【００２８】
請求項４の天井取付型空調装置では、エアフィルタ、外気処理フィルタ等の清掃又は交換がユーザーにとって容易でき、メンテナンス性を向上させることができる。
【００２９】
【発明の実施の形態】
次に、この発明の天井取付型空調装置の取付について説明するが、その前に空調装置としての空調室内機の構造について説明する。本実施形態では、空調室内機として調湿換気装置を例にとり説明する。図４は、本発明の一実施の形態である調湿換気装置の装置本体１の構成を示す透過側面図であり、図５は装置本体１の構成を示す透過平面図であり、図６は調湿換気装置の外観を示す斜視図である。
【００３０】
調湿換気装置は、室内機本体である装置本体１と、据付部材である据付板１０とを備えて構成される。そして、装置本体１は、ファンユニット２と調湿ユニット３とを接続して構成されている。ファンユニット２は、換気に必要な部品として給気ファン４及び排気ファン５を収納すると共に、装置本体１全体の電気的制御に必要な電装品６などを収納している。一方、調湿ユニット３は、調湿に必要な部品として、顕熱交換器７、透湿膜式加湿器８、除湿器９などを収納している。そして、ファンユニット２と調湿ユニット３とは、接続部の外周部に配置された接続手段２４ａ、２４ｂによって接続されている。
【００３１】
このような装置本体１は、各ユニット２、３の上面にそれぞれ係合される据付板１０、１０、１０（図６参照）を用いて、家屋の天井裏などに据え付けられる。この据付構造については、後述する。また、装置本体１の幅方向に位置する２つの側面のうち、図６において斜線を付した一側面１ａがいわゆるメンテナンス面であり、このメンテナンス面１ａには、複数個のメンテナンスカバーが着脱可能に設けられている。このメンテナンスカバーは、上述の収納部品のメンテナンス作業時に取り外される。
【００３２】
次に、各ユニット２、３の構成を説明する。ファンユニット２は、調湿ユニット３との接続部とは反対側の側部に、室内側吸込口１３と室内側吹出口１４とを備えると共に、ケーシング２ｃ内は仕切り１２によって水平方向に並置される２つのファン収納室２ａ、２ｂに区画されている。一方のファン収納室２ａは、シロッコファンなどの給気ファン４を収納すると共に、上記室内側吹出口１４に連通する一方、接続部側は調湿ユニット３に連通するようにケーシング２ｃに形成された開口部（図示せず）に連通している。また、他方のファン収納室２ｂは、シロッコファンなどの排気ファン５を収納すると共に、上記室内側吸込口１３に連通する一方、接続部側は調湿ユニット３に連通するようにケーシング２ｃに形成された開口部（図示せず）に連通している。
【００３３】
ここで給気ファン４と排気ファン５とは、各駆動モータ４ａ、５ａが仕切り１２側に位置するように配置されている。さらに、２つのファン４、５を上下方向にずらして駆動モータ４ａ、５ａが重なるように配置することによって、幅方向の長さの短縮を図ることができる。本実施形態では、給気ファン４を上側に、排気ファン５を下側に配置している。そして、上側に配置した給気ファン４の下側に電装品６を配置している。また、ファンユニット２の上部には上記据付板１０が係合される一組の取着部１５ａ、１５ｂが相対向して形成されている。尚、室内側吸込口１３及び室内側吹出口１４と室内との間は、図示しないダクトによって接続されている。
【００３４】
一方、調湿ユニット３は、ファンユニット２との接続部とは反対側の側部に、室外側吹出口１６と室外側吸込口１７とを備える。そして、調湿ユニット３のケーシング３ｅ内部は、顕熱交換器７と複数個の仕切りによって４つの空間３ａ、３ｂ、３ｃ、３ｄに区画されている。顕熱交換器７は、給気ＳＡと排気ＥＡとの間で、湿分の交換は行わず、顕熱の熱交換だけを行うものである。この顕熱交換器７は、略正四角柱状に形成されており、空気の吸込口又は吹出口となる４つの側面７ａ、７ｂ、７ｃ、７ｄが調湿ユニット３の上面及び底面に対して傾斜した姿勢で、調湿ユニット３のほぼ中央部に幅方向に延びて配置されている。そして、顕熱交換器７の４つの側辺部と調湿ユニット３の内壁との間に所定の仕切りを設けることによって、上記４つの空間３ａ〜３ｄが形成されている。
【００３５】
この４つの空間３ａ〜３ｄの役割を以下に説明する。まず、室内側の上方部に形成された空間３ａは、顕熱交換器７の室内側の上側に位置する側面７ａに連通すると共に、接続部側はファンユニット２に連通するようにケーシング３ｅに形成された開口部（図示せず）に連通している。この開口部と上記排気ファン収納室２ｂが連通する開口部とは相対向しており、これによって空間３ａは上記ファンユニット２の排気ファン収納室２ｂに連通している。従って、この空間３ａが室内空気吸込通路となり、顕熱交換器７の側面７ａが吸込口となる。
【００３６】
また、室内側の下方部に形成された空間３ｂは、顕熱交換器７の室内側の下側に位置する側面７ｂに連通すると共に、接続部側はファンユニット２に連通するようにケーシング３ｅに形成された開口部（図示せず）に連通している。この開口部と上記給気ファン収納室２ａが連通する開口部とは相対向しており、これによって空間３ｂは上記ファンユニット２の給気ファン収納室２ａに連通している。従って、この空間３ｂが給気通路となり、顕熱交換器７の側面７ｂが吹出口となる。
【００３７】
一方、室外側の下方部に形成された空間３ｃは、顕熱交換器７の室外側の下側に位置する側面７ｃに連通すると共に、上記室外側吹出口１６に連通している。従って、この空間３ｃが排気通路となり、顕熱交換器７の側面７ｃが吹出口となる。また、室外側の上方部に形成された空間３ｄは、顕熱交換器７の室外側の上側に位置する側面７ｄに連通すると共に、上記室外側吸込口１７に連通させている。従って、この空間３ｄが外気吸込通路となり、顕熱交換器７の側面７ｄが吸込口となる。
【００３８】
ここで、顕熱交換器７の４つの側面７ａ〜７ｄにおいては、相対向する側面どうしが図示しない空気通路によって連通している。即ち、側面７ａと７ｃ及び側面７ｂと７ｄは共に連通している。従って、装置本体１においては、顕熱交換器７を介して、外気吸込通路３ｄ、給気通路３ｂ及び給気ファン収納室２ａがこの順番に連通して給気経路ＲＳを形成する一方、同様に顕熱交換器７を介して、排気ファン収納室２ｂ、室内空気吸込通路３ａ及び排気通路３ｃがこの順番に連通して排気経路ＲＥを形成している。
【００３９】
即ち、外気ＯＡは、給気ファン４を駆動することによって、室外側吸込口１７から吸い込まれた後に、給気経路ＲＳを通って、室内側吹出口１４から給気ＳＡとして室内に供給される。一方、室内空気ＲＡは、排気ファン５を駆動することによって、室内側吸込口１３から吸い込まれた後に、排気経路ＲＥを通って、室外側吹出口１６から排気ＥＡとして室外に排気される。尚、室外側吹出口１６及び室外側吸込口１７と室外との間は、図示しないダクトによって接続されている。
【００４０】
また、外気吸込通路３ｄには除湿器９が配置され、さらに除湿器９と室外側吸込口１７との間には、埃や花粉などの異物を除去するための外気処理フィルタ１８が配置されている。さらに、給気通路３ｂには、透湿膜式加湿器８が配置されると共に、その近傍には給水タンク２０が配置されている。従って、給気経路ＲＳにおいては、外気ＯＡ（給気ＳＡ）の流れに沿って上流側から、除湿器９、顕熱交換器７、加湿器８、給気ファン４の順に配置されている。
【００４１】
除湿器９は、熱交換器で実現され、図示しない連絡配管によって屋外に設置された室外機（図示せず）に接続され、ヒートポンプサイクルの蒸発器として機能するものである。尚、除湿器９の冷媒配管（ガス管２５及び液管２６）の先端部は、排気通路３ｃ内に形成された接続部収納空間１９に導かれている。この接続部収納空間１９は、調湿ユニット３の側面（メンテナンス面１ａ）の下方側に設置されており、着脱可能なカバーによって覆われている。
【００４２】
透湿膜式加湿器８は、複数本の透湿膜パイプを互いに平行になるように縦横に並べると共に、透湿膜パイプの周囲に加湿水を配して構成され、透湿膜パイプ内を通過する空気に対して湿分を付与するように成されたものである。給水タンク２０は、水道管に接続された給水配管２１から供給される水道水を貯水し、高低差を利用して貯水した水道水を加湿水として透湿膜式加湿器８に供給するものである。
【００４３】
また、室内空気吸込通路３ａには、顕熱交換器７の側面７ａのほぼ全面を覆うようにエアフィルタ２２が配置されている。エアフィルタ２２は、室内の埃などの異物を除去するものである。
【００４４】
ここで、図４に示すように、顕熱交換器７及び外気処理フィルタ１８に対応した位置には、メンテナンスカバー２７、２８がそれぞれ着脱自在に装着されており、ユーザーがメンテナンスカバー２７を外して、顕熱交換器７のエレメントやエアフィルタ２２の交換ができるようになっている。また、他方のメンテナンスカバー２８をユーザーが外すことで、外気処理フィルタ１８の交換ができるようにしてある。
【００４５】
ところで、上述した顕熱交換器７、透湿膜式加湿器８及び除湿器９は、いずれも水を使用するか、あるいは動作時に水が発生（凝縮）するもの、即ち、いわゆる水回り部品である。そこで、調湿ユニット３の底部全体にドレンパン（図示せず）を配置して、凝縮水や余分な加湿水を貯留するようにしている。このドレンパンは、取付基準面であるケーシング３ｅの上面を基準として平行に又は傾斜させて配置されている。ドレンパンに貯留したドレン水は、ドレン排水口２３から図示しないドレンホースを通って屋外に排水される。また、調湿ユニット３の上部には上記据付板１０、１０が係合される二組の取着部１５ａ、１５ｂが相対向して形成されている。
【００４６】
ここで、調湿換気装置の据付構造について説明する。調湿換気装置は、上述したようにファンユニット２と調湿ユニット３とで構成されているので、各ユニット２、３をそれぞれ所定の位置に取り付けてから接続手段２４ａ、２４ｂを用いてユニットどうしを接続して据え付けられる。ファンユニット２の取付構造と調湿ユニット３の取付構造とは、使用する据付板１０の枚数がファンユニット２では１枚であるのに対し、調湿ユニット３では２枚である点を除けば同一であるので、ファンユニット２の取付構造を例にとり説明する。
【００４７】
図７は、調湿換気装置の上面図であり、図８は据付板１０と取着部１５ａ、１５ｂとの係合状態を示す正面図であり、図９は上記係合状態を示す側面図である。まず、据付板１０と取着部１５ａ、１５ｂの構成を説明する。据付板１０は、略コの字状の部材であって、細長い平板状に形成された本体部６０と、本体部６０の長手方向両端部に形成された一対の矩形平板状の垂下部６１、６２とから成る。本体部６０の一方表面６０ａが固着面となり、垂下部６１、６２は、本体部６０の固着面６０ａとは反対側に向かって固着面６０ａに対して垂直方向に延びて形成されている。
【００４８】
垂下部６１、６２には、係合部である係合孔６３、６４が形成されている。係合孔６３、６４は、本体部６０の固着面６０ａに平行に延びて形成された長孔である。また、垂下部６２には係合孔６４よりも先端側に、ねじ孔６２ａが形成されている。
【００４９】
さらに、本体部６０には、複数個のねじ孔６５・６５が穿設されている。ねじ孔６５は、本体部６０の幅方向に２個ずつ並んで形成されると共に、このような２個一組のねじ孔対が本体部６０の長手方向両端部から中央部に向かってそれぞれ４対ずつ並んで形成されている。このねじ孔６５は、据付板１０を後述するように天井面に取り付ける際に取付ねじを挿通するためのものである。そして、固着面６０ａの全面を天井面に接触させて、適当なねじ孔６５を選択して、据付板１０を天井面に固定させるようにしている。
【００５０】
一方、２つの取着部１５ａ、１５ｂのうち、メンテナンス面１ａ側に配置されている取着部１５ａは、装着部６６と、装着部６６に対して回動可能に設けられたフック６７とから成る。そして、この取着部１５ａは、ケーシング２ｃの上面側角部よりやや下方側に装着部６６が装着され、かつフック６７の回動軸がケーシング上面に平行となるように配置されている。フック６７は、メンテナンス面１ａと略平行に位置したときに、その先端側６７ａが上面から突出する位置に配置されている。フック６７の先端側６７ａは、ケーシング２ｃ側に向かって９０°よりもやや大きく鋭角的になるように折り曲げられている。また、先端側６７ａよりも回動軸側にはねじ孔６７ｂが穿設されている。このねじ孔６７ｂは、フック６７の先端側６７ａを据付板１０の垂下部６２の係合孔６４に係合させたときに垂下部６２のねじ孔６２ａと連通する位置に形成されている。
【００５１】
尚、フック６７の回動軸側の端部も先端側６７ａと同じ方向に略９０°折り曲げられた状態で端部が回動軸に枢支されている。これによって、フック６７は、ケーシング２ｃのメンテナンス面１ａとの間に間隔をあけた状態で係合孔６４に係合することになる。これは、メンテナンス面１ａとフック６７との間に垂下部６２が介在されるからであり、また固定ねじ６８を螺合する際に固定ねじ６８の先端がメンテナンス面１ａに当接しないようにするためである。
【００５２】
また、メンテナンス面１ａとは反対側に配置されている取着部１５ｂは、装着部６９と、装着部６９の一端から垂直方向に延びて形成された鉤状部７０とから成る。そして、この取着部１５ｂは、ケーシング２ｃの上面側角部近傍に装着部６９が装着され、鉤状部７０がケーシング２ｃの上面と略同じ高さで平行にかつ外側に向かって延びるように配置されている。鉤状部７０は、その先端側７０ａが下方に向かって略９０°折り曲げられている。尚、係合孔６３、６４と取着部１５ａ、１５ｂとは、係合させたときに、ケーシング２ｃの上面と固着面６０ａとが略平行になるような位置関係で形成されている。
【００５３】
次に、取付方法を説明する。まず、据付板１０の固着面６０ａを天井面の隅部（天井面と壁面との交差部近傍の位置）に固着する。これは、取付ねじを本体部６０の適当なねじ孔６５に挿通し、この取付ねじを住宅躯体（天井面）に螺合することによって行う。このとき、作業者側にねじ孔６２ａを有する垂下部６２が位置するように取り付ける。これは、後述する固定ねじ６８の螺合を行い易くするためである。
【００５４】
次にファンユニット２のメンテナンス面１ａとは反対側の取着部１５ｂを、据付板１０の垂下部６１に係合させる。具体的には、取着部１５ｂの鉤状部７０を垂下部６１の係合孔６３に挿通させて、鉤状部７０の先端側７０ａが垂下部６１の外側表面に当接するように掛止させる。
【００５５】
それから、メンテナンス面１ａ側の取着部１５ａを、据付板１０の垂下部６２に係合させる。具体的には、まず、フック６７の先端側６７ａを垂下部６２の係合孔６４に差し込んで、先端側６７ａが係合孔６４の下側端面に当接するように掛止させて、仮止めを行う。その後、固定ねじ６８をフック６７のねじ孔６７ｂから垂下部６２のねじ孔６２ａに向かって螺合して、フック６７を据付板１０の垂下部６２に固定する。以上で、ファンユニット２の据付作業が完了する。
【００５６】
尚、調湿ユニット３の据付構造及び据付作業もファンユニット２と同様である。但し、２枚の据付板１０、１０を取り付ける際には、調湿ユニット３の取着部１５ａ、１５ａ間の距離を考慮して取り付ける必要があり、またファンユニット２側の据付板１０が既に取り付けられている場合は、この据付板１０との距離も考慮して取り付ける必要がある。そこで、据付板１０の係合孔６３、６４の横幅は、取着部１５ａ、１５ｂ（正確には、フック６７、鉤状部７０）の横幅よりも大きく形成している。これによって、据付板１０、１０、１０の取付け位置のずれを吸収できると共に、据付け後に装置本体１全体としてその長さ方向に位置調整することが可能となる。
【００５７】
上記のようにして天井面の隅部に装置本体１を設置した後に、図１に示すように装置本体１とこの装置本体１に接続したダクト（図示せず）を化粧カバーで隠蔽するようにしている。すなわち、天井面の両側に位置する箇所に図２及び図３（ａ）に示すように略Ｌ型の取付ステー７６の端部を天井面と壁面に固定し、底面側化粧カバー８０の上面に固定した取付金具７７、７８を取付ステー７６に取り付けるようにしている。後部の取付金具７８は略コ字型に形成されていて、その上部を取付ステー７６の穴に挿入係止し、前部の取付金具７７も同様にしてその上部を取付ステー７６の穴に挿入係止して仮止めを行なう。そして、取付金具７７を取付ステー７６とをネジ７９により固定するようになっている。
【００５８】
上記底面側化粧カバー８０の前部の上面には図２に示すように横方向全長にわたって溝８１が凹設されており、この溝８１の上方の天井面に断面を略コ字型とした取付レール８２が固定されている。この取付レール８２と溝８１との間に、この実施形態では、図１及び図３（ｂ）に示すように前面側化粧カバー８４が着脱自在に装着されている。この前面側化粧カバー８４は、３枚の前面側化粧カバー８５、８６、８７で構成されている。前面側化粧カバー８５〜８７は、取付レール８２と溝８１との間に落とし込み構造としたものであり、前面側化粧カバー８５〜８７の前面の両側に設けたノブ９０を持って上方へ引き上げ、前面側化粧カバー８５〜８７の上部を取付レール８２内に移動させ、前面側化粧カバー８５〜８７の下部を溝８１から引き上げて手間に引くことで、前面側化粧カバー８５〜８７を容易に取り外すことができる。なお、前面側化粧カバー８５〜８７を嵌める場合には、上記と逆の動作を行なうことで、容易に前面側化粧カバー８５〜８７を溝８１等に嵌めることができる。
【００５９】
このようにして、部屋の横方向の寸法に合わせた３枚の前面側化粧カバー８５〜８７と底面側化粧カバー８０とで図１に示すように、装置本体１と図外のダクトとを完全に覆い隠すことができる。なお、図１に示す室内は例えば、洗面所であるが、他の任意の部屋に設置することができるのはもちろんである。特に、装置本体１を後から設置する場合には、天井面に装置本体１を設置することで、後付けが可能となる。これにより後から装置本体１を設置しても前面側化粧カバー８５〜８７と底面側化粧カバー８０とで装置本体１やダクトを覆い隠すことができるので、インテリア性を損なうこともない。なお、装置本体１と接続されるダクトは、天井面を挿通しても良く、また壁面を挿通して配管するようにしても良い。このように、天井面に装置本体１を設置するので、設置高さもあまり高くなく、安全に設置作業ができ、従来のように点検口あるいは機械室が不要となり、施工性が向上する。
【００６０】
ところで、装置本体１の前面に配置する前面側化粧カバー８４は、単に３枚に分割して配置しているのではなく、ユーザーのメンテナンスの向上を図るべく適宜な寸法で分割しているものである。すなわち、本装置本体１ではユーザーが顕熱交換器７のエレメントやエアフィルタ２２、外気処理フィルタ１８の清掃および交換の両者又はその一方ができるようになっているので、図３（ｂ）に示すように、この顕熱交換器７と外気処理フィルタ１８の位置に対応したメンテナンスカバー２７、２８に対応させて前面側化粧カバー８５〜８７を分割しているものである。したがって、中央部の前面側化粧カバー８６をメンテナンスカバー２７、２８の位置に対応させて、この前面側化粧カバー８６を取り外すことで、ユーザーが容易にフィルタ等の清掃および交換の両者又はその一方ができるようにしてある。
【００６１】
このような構成の調湿換気装置の運転モードについて説明するが、この装置では、季節（外気ＯＡの温度、湿度など）に応じた種々の運転モードでの運転が可能である。春季や秋季のように外気ＯＡが快適なときは、給気ファン４及び排気ファン５のみを駆動させて熱交換換気モードを行う。このモードでは、透湿膜式加湿器８及び除湿器９はいずれも機能させない。熱交換換気モードでは、屋外の爽やかな外気ＯＡを外気処理フィルタ１８を通して室内に取り込むと共に、汚れた室内空気ＲＡを屋外に排出するので、花粉や埃の侵入を防いで新鮮な空気を室内に充たすことができるので、居住者は健康的にすごすことができる。
【００６２】
梅雨期や秋雨期や夏季のように外気ＯＡの湿度が高いときは、給気ファン４及び排気ファン５の駆動に加えて、除湿器９を機能させて、除湿熱交換換気モードを行う。このモードでは、換気を行いながら、外気ＯＡを除湿器９で冷却して除湿した後、顕熱交換器７において排出する室内空気ＲＡとの間で熱交換を行って室内に供給する。従って、外気ＯＡが適温である梅雨期や秋雨期は、室温を下げることなく、換気及び除湿を行うことができ、居住者は寒さを感じることなく快適にすごすことができる。
【００６３】
また、外気ＯＡの温度が高い夏季は、湿度を下げると共に、温度も室温程度まで下げることができるので、居住者は蒸暑さを感じることなく、快適にすごすことができる。
【００６４】
冬季のように外気ＯＡの温度及び湿度が共に低いときは、給気ファン４及び排気ファン５の駆動に加えて、加湿器８を機能させて、加湿熱交換換気モードを行う。このモードでは、換気を行いながら、顕熱交換器７において外気ＯＡと排出する室内空気ＲＡとの間で熱交換を行って外気ＯＡを加熱した後、加湿器８で加湿して室内に供給する。従って、適度な湿度の室内環境を実現することができ、居住者は快適にすごすことができると共に、室内空気ＲＡの排熱を再利用するため、いわゆる省エネ暖房が可能となる。
【００６５】
上述した調湿換気装置では、装置本体１を据え付けるにあたっては、まず据付板１０を、その固着面６０ａが天井面に固着するようにして取り付けるが、天井面は水平になるように天井板が配設されているので、据付板１０の本体部６０は水平に取り付けられたことになり、これに伴って垂下部６１、６２は垂直方向に延びて配置され、さらに係合孔６３、６４は取付面から一定の長さだけ離れた位置に配置されることになる。これによって、従来のように複数本の吊りボルト５１等を垂下するように取り付ける場合に比べて、据付板１０の取付作業が簡単になる。
【００６６】
また、ファンユニット２及び調湿ユニット３を据付板１０に取り付けると、各ユニット２、３の取付基準面であるケーシング２ｃ、３ｅの上面は、据付板１０の固着面６０ａと略平行になる。ここで、据付板１０は固着面６０ａが水平になるように取り付けられているので、各ユニット２、３はケーシング２ｃ、３ｅの上面を略水平にした状態で据え付けられることになる。これによって、従来のような傾き調整の作業を行う必要がなくなり、ユニット２、３の取付作業が簡単になる。このことは、ドレンパンを水平に又は水平面に対して傾斜させて配置する必要がある調湿ユニット３においては、特に効果的である。また、各ユニット２、３が、正常に機能させるためには水平面に対して所定の姿勢（水平も含む）で配置することが要求される部品を備えている場合にも、効果的である。なお上記据付板１０は、図６〜図９のように複数に分割構成する必要はなく、図３のように一体に形成しておいてもよい。
【００６７】
【発明の効果】
以上のように請求項１の天井取付型空調装置によれば、調湿換気装置本体を天井面に設置することで、装置本体の後付けができ、しかも、装置本体とダクトを化粧カバーで覆っているので、インテリア性を損なうことがない。また、装置本体は天井面に設置する構造としているので、設置作業の高さも高くなく、設置作業における安全性が向上し、また、天井裏に装置本体を設置するのではないため、従来のように点検口あるいは機械室が不要となり施工性を向上させることができる。また、装置本体におけるメンテナンス面に対応した前面側化粧カバーを取り外し可能としているので、ユーザーによるメンテナンス性を向上させることができる。
【００６９】
請求項２の天井取付型空調装置によれば、前面側化粧カバーの装着と取り外しが容易となり、特に簡単な構造で前面側化粧カバーを装着できる。
【００７０】
請求項３の天井取付型空調装置によれば、装置本体における部品の清掃又は交換が必要な箇所に対応した前面側化粧カバーを取り外し可能としているので、ユーザーによるメンテナンス性を向上させることができる。
【００７１】
請求項４の天井取付型空調装置によれば、エアフィルタ、外気処理フィルタ等の清掃又は交換がユーザーにとって容易でき、メンテナンス性を向上させることができる。
【図面の簡単な説明】
【図１】本発明の一実施の形態である前面側化粧カバーと底面側化粧カバーとで装置本体を覆った状態を示す斜視図である。
【図２】底面側化粧カバーと前面側化粧カバーとを設置する場合の断面図である。
【図３】（ａ）〜（ｃ）は設置状態を示す平面図、正面図及び断面図である。
【図４】調湿換気装置の装置本体の透過側面図である。
【図５】上記装置本体の透過平面図である。
【図６】上記調湿換気装置の斜視図である。
【図７】上記調湿換気装置の上面図である。
【図８】据付板と取着部との係合状態を示す正面図である。
【図９】上記係合状態を示す側面図である。
【図１０】従来の調湿換気装置の平面図である。
【図１１】従来の調湿換気装置の側面図である。
【図１２】従来の調湿換気装置の斜視図である。
【図１３】従来の据付構造を示す側面図である。
【図１４】従来の据付構造に用いる吊りボルトを示す側面図である。
【符号の説明】
１  装置本体
７６  取付ステー
８０  底面側化粧カバー
８１  溝
８２  取付レール
８４  前面側化粧カバー
８５  前面側化粧カバー
８６  前面側化粧カバー
８７  前面側化粧カバー
【図１】
0003591378.tif 000002
【図２】
0003591378.tif 000003
【図３】
0003591378.tif 000004
【図４】
0003591378.tif 000005
【図５】
0003591378.tif 000006
【図６】
0003591378.tif 000007
【図７】
0003591378.tif 000008
【図８】
0003591378.tif 000009
【図９】
0003591378.tif 000010
【図１０】
0003591378.tif 000011
【図１１】
0003591378.tif 000012
【図１２】
0003591378.tif 000013
【図１３】
0003591378.tif 000014
【図１４】
0003591378.tif 000015